(57)【特許請求の範囲】
【請求項１】
バネ性を有する板材等の弾性材によって、天板部と、該天板部の左右両端から下方へ対向突設され、自体のバネ力にて対向閉鎖される左右の側板部とで形成された本体と、前記左右の側板部上部にあって両側板部間に架設され、該両側板部をバネ力に抗して略垂直に開成された状態に係合保持するストッパと、前記左右の側板部外側面下方に対向配設されたねずみ等の動物の検知用センサーと、前記センサーによる検出信号を受信して作動し、前記ストッパによる係合を外すストッパ係合解除機構と、前記本体の天板部及び左右の側板部内面に沿って交換自在に配置される粘着シートとを具備したものであって、
前記ストッパは、先端部下方に、側板部上方に開口した縦長孔下縁に係合する係合部を切欠形成した帯状板を有し、該帯状板の基端部を、先端の係合部が前記縦長孔下縁へ係脱自在に係合するよう、他方の側板部の内面上部に取り付けてあり、
前記ストッパ係合解除機構は、側板部外側の縦長孔下方に配置したソレノイドを有し、該ソレノイドが通電されると、前記帯状板先端の係合部を押し上げて縦長孔下縁との係合を外すように形成されていることを特徴とするねずみ等の動物の捕獲器。
【発明の詳細な説明】
【０００１】
【発明の属する技術分野】
本発明は、ねずみ等の動物の捕獲器に関する。
【０００２】
【従来の技術】
従来のねずみ捕獲器としては、金網にて形成されたボックスに、シャッターにより開閉可能な入口を設け、ボックス内の餌引掛部と連動連結した係合部に係合してシャッターを入口開口状態に保持し、上記餌引掛部の餌をねずみが食いつくことで上記餌引掛部が引っ張られることにより、シャッターの係合が外れてバネ力にて降下し、入口が閉鎖され、ねずみを捕獲するよう構成したものが知られている。
【０００３】
また、平板状の厚紙上面に、強力な接着剤を塗布し、該接着剤を上向きとして厚紙をねずみの通る位置に仕掛け、当該厚紙上面をねずみが通ることで接着剤に接着して捕獲されるよう構成したものも知られている。
【０００４】
【発明が解決しようとする課題】
しかしながら、上記した従来のねずみ捕獲器のうち、前者は、金網にて形成されているため、大型で搬送に不便であり、かつ、捕獲したねずみの処分時等に気持ちが悪く、抵抗がある等の問題がある。また、ねずみは学習能力が高く、１匹が掛かると金網に仲間の臭いが付いてしまい、２匹目は掛り難い等の問題がある。
【０００５】
一方、後者は、ねずみの足及び腹部の毛を接着剤で接着するため、接着力が低く、かつ脱毛によりねずみの掛かりが悪く、また捕獲したねずみは完全に露出しているため、処分時等に気持ちが悪く、抵抗が大きい等の問題がある。
【０００６】
【目的】
本発明は、上記した従来技術が有するこのような問題点に鑑みてなされたもので、バネ性を有する板状材にて形成した本体の、その天板部両端から下方へ対向突設した左右の側板部における、自体の持つバネ力に抗して対称に拡開した状態を、ストッパにて係合して保持し、両側板部間を通るねずみ等の動物をセンサーにて検知し、この検知信号を受信して作動するストッパ係合解除機構によりストッパの係合を外し、上記両側板部がバネ力で対向閉鎖して、ねずみ等を本体内面に配置した粘着シートに接着させると共に、両側板部で挟んで捕獲するよう構成することにより、ねずみ等を接着、挟着して捕獲するので、捕獲したねずみ等が逃げられることなく、極めて捕獲能力が高い上に、ねずみ等を粘着シートに包んで廃棄処分等を抵抗なく行なうことができ、また、本体の持つバネ力を利用するので、特別なバネ等を必要としないから、構造的に簡潔で、かつ安価に製造できるねずみ等の動物の捕獲器を提供することを目的とする。
【０００７】
【課題を解決するための手段】
上記目的を達成するために、本発明に係わるねずみ等の動物の捕獲器は、バネ性を有する板材等の弾性材によって、天板部と、該天板部の左右両端から下方へ対向突設され、自体のバネ力にて対向閉鎖される左右の側板部とで形成された本体と、前記左右の側板部上部にあって両側板部間に架設され、該両側板部をバネ力に抗して略垂直に開成された状態に係合保持するストッパと、前記左右の側板部外側面下方に対向配設されたねずみ等の動物の検知用センサーと、前記センサーによる検出信号を受信して作動し、前記ストッパによる係合を外すストッパ係合解除機構と、前記本体の天板部及び左右の側板部内面に沿って交換自在に配置される粘着シートとを具備したものであって、
前記ストッパは、先端部下方に、側板部上方に開口した縦長孔下縁に係合する係合部を切欠形成した帯状板を有し、該帯状板の基端部を、先端の係合部が前記縦長孔下縁へ係脱自在に係合するよう、他方の側板部の内面上部に取り付けてあり、
前記ストッパ係合解除機構は、側板部外側の縦長孔下方に配置したソレノイドを有し、該ソレノイドが通電されると、前記帯状板先端の係合部を押し上げて縦長孔下縁との係合を外すように形成されていることを特徴とする。
【０００８】
【作用】
本発明に係るねずみ等の動物の捕獲器は、通常は、本体の左右の側板部が、自体の持つバネ力にて閉じた状態、つまり、両側板部の下端が互いに突き合せられた正面略Ｖ字形状に保持されているので、当該捕獲器を使用する際は、手動により、自体が持つバネ力に抗して外側へ押し広げ、一方の側板部内面上部に固定して配設したストッパの先端部に切欠形成した係合部を、他方の側板部の係合部に係合することで、前後両側面及び下面が開口する正面略下向きコの字形状に保持し、本体内面、つまり天板部及び左右の側板部の内面に沿ってあらかじめ正面略下向きコ字形状とした粘着シートを配置する。
【０００９】
次いで、ねずみ、ゴキブリ等が通りそうな場所に餌を置き、該餌を上部から覆うように、当該ねずみ等の捕獲器を置く。このようにして、ねずみ等が餌につられて本体の前面、または後面の開口部から本体内に入ると、左右の側板部に設けたセンサーがねずみ等を検知し、その検知信号を受信して電源（バッテリー）からストッパ係合解除機構に通電されて該ストッパ係合解除機構が作動し、前記ストッパの先端部を押し上げ、該ストッパの係合部と、他方の側板部の係合部との係合が外され、その結果、本体自体が持つバネ力で左右の側板部は粘着シートを伴って内側へ瞬時に対向閉鎖されるので、ねずみ等は左右両側から粘着シートの粘着剤により接着されると共に、左右の側板部により強く挟着されることで捕獲される。
【００１０】
次いで、粘着シートと共に、捕獲したねずみ等を本体内から取り外し、粘着シートにて包み、廃棄処分する。
そして、再度使用するときは、再び本体内部に粘着シートを配置し、前記と同様に所定の位置にセットする。
【００１１】
【発明の実施の形態】
以下、本発明の実施の形態につき図面を参照して説明する。
図１は、本発明に係るねずみ等の動物の捕獲器における左右の側板部を外側へ対称に開いた状態にストッパにより係合保持し、本体に正面略下向きコ字形状の粘着シートを内装した状態の斜視図を示し、図２は、同上捕獲器の左右の側板部を開いた状態に係合保持した状態と、正面略下向きコ字形状の粘着シートとの斜視図を示し、図３は、同上捕獲器の使用状態の縦断面図を示し、図４は、同上捕獲器の使用状態の底面図を示し、図５は、同上捕獲器の使用状態の左側面図を示し、図６は、同上捕獲器によりねずみ等を捕獲した状態の正面図を示し、図７は、同上捕獲器におけるストッパと、センサーと、係合解除機構を各示し、図８はねずみ等の動物の捕獲器の他の実施形態の縦断面図を示す。
【００１２】
本発明に係わるねずみ等の動物の捕獲器は、図１ないし図６に示したように、本体１と、ストッパ２と、センサー３と、ストッパ２の係合解除機構４を主要部材として構成されている。
【００１３】
上記本体１は、次のように構成されている。
図１ないし図６に示したように、プラスチック板、または金属板等のバネ性（弾性）を有する板材等の弾性材にて、天板部５と、該天板部５の左右両端から下方へ対向突設した左右の側板部６、７とで、前後両面及び底面を各開口して一体に形成させてある。
【００１４】
上記両側板部６、７は、通常（不使用時）は、本体１が持つバネ力によって、各内側へ対向傾斜して下端が互いに突き合せられることで閉じられている。
【００１５】
上記ストッパ２は、次のように構成されている。
図１ないし図４及び図６に示したように、プラスチック、または金属等の帯状板８の基端部８ａを、上記した一方の側板部７の内面上部に固定して、先端部８ｂを他方の側板部６側へ延出させ、該先端部８ｂの下部に外向き段状の係合部８ｃを切欠形成して、上記した一方の側板部６上部に開口した狭幅の縦長孔６ａに上下方向へスライド自在に挿通させてある。
【００１６】
上記したストッパ２は、図３に明示した如く、バネ力に抗して両側板部６、７を外側へ対称に、略垂直に押し広げることで上記係合部８ｃと、側板部６における縦長孔６ａの下端開口縁にて形成される係合部６ｂとが互いに係合して、本体１下端を開口した状態に保持するために機能する。
【００１７】
上記センサー３は、次のように構成されている。
図１ないし図７に示したように、上記した左右の側板部６、７の下部外側に、光センサー受光部９と光センサー投光部１０を対向固定して、上記両側板部６、７をねずみａが通ると、これを検知して、検知信号をアンプ１１が受信することで、電源（バッテリー）１２から後述するストッパの係合解除機構４に通電されるよう形成されている。また、上記光センサー受光部９及び光センサー投光部１０は、上記両側板部６、７に対向状態に貫通形成した孔の外側に固定される。
なお、上記センサー３としては、赤外線やレーザー光を用いたセンサーが好適であるが、ねずみａを検知できるものでなければ、その種類は問わない。
【００１８】
上記ストッパの係合解除機構４は、次のように構成されている。
図１ないし図７に示したように、上記した一方の側板部６の外側面にあって、上記した縦長孔６ａの下端近くにソレノイド１３を上向きに固定し、上記電源１２からソレノイド１３に通電されると、該ソレノイド１３が作動して既述したストッパ２における帯状板８の先端部８ｂを押し上げて、両係合部６ｂ、８ｃの係合を外すよう形成されている。
【００１９】
また、上記したように、両係合部８ｃ、６ｂの係合が外されると、左右の側板部６、７は、それ自身が有するバネ力にて内側へ対向閉鎖されることでねずみａを図６に示したように挟着し捕獲する。
【００２０】
さらに、本発明に係るねずみ等の動物の捕獲器は、図１ないし図４及び図６に示したように、内面に接着剤１４ａを層成した正面略下向きコの字形状の粘着シート１４を、本体１の天板部５、側板部６、７の内面に沿って配置して使用されるから、該粘着シート１４は、略中間部にあって、天板１４ｂと、左右の側板１４ｃ、１４ｄの上部に狭幅孔１４ｅを形成し、本体１を図１ないし図４に示した如く、下向きコ字形状とした状態で、下方から本体１に挿入し、上記狭幅孔１４ｅにストッパ２における帯状板８を挿入することで、本体１の内面に沿って配置される。
【００２１】
また、上記粘着シート１４は、図１及び図４に示したように、前後方向の長さＬは、上記本体１の長ｌよりも所望寸法だけ長く形成されている。
【００２２】
図８は、本発明に係るねずみ等の動物の捕獲器の他の実施形態を示すもので、次のように構成される。
このねずみ等の動物の捕獲器は、図示したように、本体１における左右の側板部６、７の下端に、該両側板部６、７の下端部を内側上方へ断面略Ｕ字形状に屈曲することでフック形状の粘着シート１４のガイド１５、１６を形成させてある。その他は、既述した実施の形態と同一に形成されている。
【００２３】
そして、上記ガイド１５、１６に、正面略下向きコ字形状とした粘着シート１４の左右の側板１４ｃ、１４ｄの下端を挿入することで、上記粘着シート１４は本体１に交換自在に、かつ下方へ脱落することなく内装される。
【００２４】
而して、図３及び図８において１７は、床１８等に敷紙１９等を敷設し、該敷紙１９上に載せた餌を示し、図６においてａは捕獲したねずみを示す。なお、本実施形態では、捕獲対象物としてねずみａを示してあるが、これに限られるものではなく、例えばゴキブリ等の捕獲に利用することもできる。さらに、ストッパ２の略中央部下方に餅吊り下げ部材（図示しない）を取り付け、この部分に餌１７を引っ掛けるようにしても良い。
【００２５】
【発明の効果】
本発明は、以上説明したように構成されているので、センサーでねずみ等の動物を検知し、この検知信号を係合解除機構が受信して、ストッパによる係合を外し、本体の左右の側板部がそれ自体のバネ力で内側に対向移動して閉じることで、ねずみ等の動物を粘着シートに接着すると共に、上記両側板部で強く挟着するため、極めて捕獲能力が高く、捕獲したねずみ等の動物が逃げられることはなく、確実に捕獲することができる。
【００２６】
また、本体が持つバネ力を利用するので、特別なバネやバネ張設機構等を必要としないため、構造的なに簡潔で安価に提供することができる。
【００２７】
さらに、本体に対し、粘着シートは、交換自在に内装でき、また、本捕獲器は繰り返し使用することができると共に、捕獲したねずみ等の動物は粘着シートに包んで抵抗なく廃棄処分等を行なうことができる。
【図面の簡単な説明】
【図１】本発明に係わるねずみ等の動物の捕獲器の実施形態の使用状態を示す斜視図である。
【図２】同上捕獲器と粘着シートを示す斜視図である。
【図３】同上捕獲器の使用状態を示す縦断面図である。
【図４】同上捕獲器の使用状態を示す底面図である。
【図５】同上捕獲器の使用状態を示す左側面図である。
【図６】同上捕獲器によりねずみを捕獲した状態を示す正面図である。
【図７】同上捕獲器におけるストッパと、センサーと、係合解除機構を各示す詳細図である。
【図８】本発明に係わるねずみ等の動物の捕獲器の他の実施形態の使用状態を示す縦断面図である。
【符号の説明】
１        本体
２        ストッパ
３        センサー
４        係合解除機構
５        天板部
６、７    側板部
１４      粘着シート
【図１】
0003547721.tif 000002
【図２】
0003547721.tif 000003
【図３】
0003547721.tif 000004
【図４】
0003547721.tif 000005
【図５】
0003547721.tif 000006
【図６】
0003547721.tif 000007
【図７】
0003547721.tif 000008
【図８】
0003547721.tif 000009